(57)【要約】【課題】本体の設置角度を検出して通知し、投射映像の歪みを容易に補正することのできるプロジェクターを得る。【解決手段】映像を投射するプロジェクター１００であって、入力映像信号に基づき映像を投射する投射部１１０と、縦方向の傾きまたは横方向の傾きの少なくともいずれかを検出する傾き検出手段１２０と、当該プロジェクター１００に対する方向操作入力を受け付ける方向操作入力手段１３０と、投射部１１０が投射する映像の台形歪みを補正する台形歪み補正部１４１と、を備え、方向操作入力手段１３０は、傾き検出手段１２０が検出した傾きを表す情報を当該方向操作入力手段１３０の操作方向と対応付けて表示する傾き表示手段を備え、台形歪み補正部１４１は、方向操作入力手段１３０が方向操作入力を受け付けると、その方向に対応した所定量の台形歪み補正を実行する。【選択図】図１
2010141772.tif 000002
【特許請求の範囲】
【請求項１】
映像を投射するプロジェクターであって、
入力映像信号に基づき映像を投射する投射部と、
縦方向の傾きまたは横方向の傾きの少なくともいずれかを検出する傾き検出手段と、
当該プロジェクターに対する方向操作入力を受け付ける方向操作入力手段と、
前記投射部が投射する映像の台形歪みを補正する台形歪み補正部と、
を備え、
前記方向操作入力手段は、
前記傾き検出手段が検出した傾きを表す情報を当該方向操作入力手段の操作方向と対応付けて表示する傾き表示手段を備え、
前記台形歪み補正部は、
前記方向操作入力手段が方向操作入力を受け付けると、その方向に対応した所定量の台形歪み補正を実行する
ことを特徴とするプロジェクター。
【請求項２】
前記傾き検出手段は、前記縦方向の傾きとして、
水平面に対する当該プロジェクターの鉛直方向の傾き、または前記映像の投射面に対する当該プロジェクターの鉛直方向の傾きを検出する
ことを特徴とする請求項１記載のプロジェクター。
【請求項３】
前記傾き検出手段は、前記横方向の傾きとして、
前記映像の投射面に対する当該プロジェクターの水平方向の傾きを検出する
ことを特徴とする請求項１または請求項２記載のプロジェクター。
【請求項４】
前記傾き表示手段は、単一の方向を表示する単一方向表示手段で構成されており、
前記方向操作入力手段は、操作方向毎に前記傾き表示手段を備えている
ことを特徴とする請求項１ないし請求項３のいずれかに記載のプロジェクター。
【請求項５】
前記傾き表示手段の表示パターンと当該プロジェクターの傾き角度との対応関係データを格納した記憶部を備え、
前記傾き表示手段は、
前記傾き検出手段の検出結果に対応する前記対応関係データを参照し、
該当する前記表示パターンを用いて前記傾き検出手段が検出した傾きを表示する
ことを特徴とする請求項４記載のプロジェクター。
【請求項６】
前記傾き表示手段は、
前記方向操作入力手段が方向操作入力を受け付けると、
前記傾き検出手段の検出結果を、
前記台形歪み補正部が前記所定量の台形歪み補正を実行した際の補正量に相当する傾き角度で補正して表示する
ことを特徴とする請求項１ないし請求項５のいずれかに記載のプロジェクター。
【請求項７】
当該プロジェクターの傾きの指定値を入力する傾き入力手段を備え、
前記傾き表示手段は、
前記傾き検出手段の検出結果と前記指定値の差分を表示する
ことを特徴とする請求項１ないし請求項６のいずれかに記載のプロジェクター。
【請求項８】
入力映像信号に基づき映像を投射する投射部と、
縦方向の傾きまたは横方向の傾きの少なくともいずれかを検出する傾き検出手段と、
当該プロジェクターに対する方向操作入力を受け付ける方向操作入力手段と、
を備え、
前記方向操作入力手段は、
前記傾き検出手段が検出した傾きを表す情報を表示する傾き表示手段を備えた
プロジェクターを制御する方法であって、
前記傾き検出手段が検出した傾きを表す情報を前記方向操作入力手段の操作方向と対応付けて前記傾き表示手段に表示させ、
前記方向操作入力手段が方向操作入力を受け付けると、その方向に対応した所定量の台形歪み補正を実行する
ことを特徴とするプロジェクターの制御方法。
【発明の詳細な説明】
【技術分野】
【０００１】
本発明は、プロジェクターおよびその制御方法に関するものである。
【背景技術】
【０００２】
従来、プロジェクターに関し、特許文献１に、「映像の歪補正のためにプロジェクタの投射光軸に対するスクリーンの垂直方向および水平方向の傾斜角度を簡単な構成で正確に測定できる傾斜角度測定装置を有するプロジェクタを提供する」ことを目的とした技術として「傾斜角度測定装置は、投射面７０に対して垂直方向と水平方向とのそれぞれに、所定の間隔を有する少なくとも２点のポイント８１を投射するレーザポインタ４１と、レーザポインタ４１より垂直方向と水平方向に所定の間隔を置いて配置されてレンズ５１を通して投射面のポイントを撮像可能なデジタルカメラと、デジタルカメラで撮像したポイントを結ぶ直線の基準線との傾斜角度を、撮像素子の撮像画面８０から解析して、その傾斜角度から投影装置の投射光軸２７と投射面７０との傾斜角度を算定する画像解析傾斜角度算定部とを備えている。」というものが提案されている（要約）。
【０００３】
また、投映型表示装置に関し、特許文献２に、「最適な設置方向や設置傾斜角度や設置位置へユーザが投映型表示装置を設置調整するガイドを表示し、ユーザがより簡単に歪みがなく画質の良い投映画像を投映可能とする。」ことを目的とした技術として「投映型表示装置１０前面に設置したエリアセンサ４により検出された被投映面上の画像信号に基づいて、画像判定部５により投映画像の歪みや傾きや位置ずれを判定して、歪みや傾きや位置ずれのない画像を投映可能な最適設置方向や最適設置傾斜角度や最適設置位置に設置調整するためのガイドをＯＳＤ表示部６により投映画像に重畳させて表示する。該ガイドとして、最適設置方向や最適設置傾斜角度や最適設置位置へ投映型表示装置１０を変更すべき向き、傾き、位置の方向を指示するガイドを、あるいは、投映型表示装置１０の現在の設置状態に関して、最適設置方向や最適設置傾斜角度や最適設置位置からのずれを示すガイドを、矢印アイコンを含むアイコンや文字により表示する。」というものが提案されている（要約）。
【０００４】
【特許文献１】特開２００５−４１６５号公報
【特許文献２】特開２００５−２４６６８号公報
【発明の開示】
【発明が解決しようとする課題】
【０００５】
プロジェクターの投射映像には、本体の設置角度に応じて台形歪みが生じる。しかし、プロジェクターを実際に使用する際には、わずかな台形歪みであっても、できる限り生じないようにしたい場合がある。
１例として、プロジェクターを複数台並列に設置し、マルチスクリーンを構成する場合が挙げられる。この場合、各プロジェクターの投射映像の輪郭を均一にする必要があり、各プロジェクターの設置角度を厳密に揃えるなどして、台形歪みが生じていない状態を保つことが望ましい。
また、もし投射映像にわずかでも台形歪みが生じているときは、ユーザーがそれを容易に察知して補正することができることが望ましい。
【０００６】
この点、上記特許文献１に記載の技術では、投射光軸２７と投射面７０との傾斜角度を算定することはできるが、その後に補正を行う際に手間がかかる。
特に、自動台形補正機能を備えていないプロジェクターの場合には、プロジェクターの傾斜角度を逐一確認しながら手作業で傾きを補正しなければならないので、ユーザーの作業負担が増大する。
【０００７】
また、上記特許文献２に記載の技術では、傾斜角度などのずれを示すガイドを表示してユーザーにプロジェクターの傾きを通知することができるが、特許文献１と同様に、その後に補正を行う際に手間がかかる。
【０００８】
本発明は、上記のような課題を解決するためになされたものであり、本体の設置角度を検出して通知し、投射映像の歪みを容易に補正することのできるプロジェクターを得ることを目的とする。
【課題を解決するための手段】
【０００９】
本発明に係るプロジェクターは、映像を投射するプロジェクターであって、入力映像信号に基づき映像を投射する投射部と、縦方向の傾きまたは横方向の傾きの少なくともいずれかを検出する傾き検出手段と、当該プロジェクターに対する方向操作入力を受け付ける方向操作入力手段と、前記投射部が投射する映像の台形歪みを補正する台形歪み補正部と、を備え、前記方向操作入力手段は、前記傾き検出手段が検出した傾きを表す情報を当該方向操作入力手段の操作方向と対応付けて表示する傾き表示手段を備え、前記台形歪み補正部は、前記方向操作入力手段が方向操作入力を受け付けると、その方向に対応した所定量の台形歪み補正を実行する。
そのため、ユーザーはプロジェクターの設置角度を方向操作入力手段の操作方向と対応付けて直感的かつ容易に把握することができる。
また、方向操作入力手段でプロジェクターの傾きを通知するとともに傾き補正を行うことになるので、１箇所で傾きの通知と補正を同時に行うことができ、補正作業が容易になって、ユーザーにとって便宜である。
【００１０】
また、本発明に係るプロジェクターにおいて、前記傾き検出手段は、前記縦方向の傾きとして、水平面に対する当該プロジェクターの鉛直方向の傾き、または前記映像の投射面に対する当該プロジェクターの鉛直方向の傾きを検出する。
そのため、ユーザーはプロジェクターの鉛直方向の傾きを補正することができる。
【００１１】
また、本発明に係るプロジェクターにおいて、前記傾き検出手段は、前記横方向の傾きとして、前記映像の投射面に対する当該プロジェクターの水平方向の傾きを検出する。
そのため、ユーザーは投射面に対するプロジェクターの水平方向の傾きを補正することができる。
【００１２】
また、本発明に係るプロジェクターにおいて、前記傾き表示手段は、単一の方向を表示する単一方向表示手段で構成されており、前記方向操作入力手段は、操作方向毎に前記傾き表示手段を備えている。
そのため、単一方向表示手段を操作方向毎に配置するのみで傾き表示手段を構成することができる。単一方向表示手段は、比較的単純な部品等で構成することができるので、簡易な手段で傾き表示手段を構成し、コストを抑えることができる。
【００１３】
また、本発明に係るプロジェクターは、前記傾き表示手段の表示パターンと当該プロジェクターの傾き角度との対応関係データを格納した記憶部を備え、前記傾き表示手段は、前記傾き検出手段の検出結果に対応する前記対応関係データを参照し、該当する前記表示パターンを用いて前記傾き検出手段が検出した傾きを通知する。
そのため、傾き表示手段の表示パターンで傾き角度を表すことができるので、傾き角度を数値で通知する手段を別途設ける必要がなく、部品点数を少なく維持してコストを抑えることができる。
【００１４】
また、本発明に係るプロジェクターにおいて、前記傾き表示手段は、前記方向操作入力手段が方向操作入力を受け付けると、前記傾き検出手段の検出結果を、前記台形歪み補正部が前記所定量の台形歪み補正を実行した際の補正量に相当する傾き角度で補正して表示する。
そのため、ユーザーは台形歪み補正処理後に相当する傾きを即座に把握することができるので、使用感良好なプロジェクターを提供することができる。
【００１５】
また、本発明に係るプロジェクターは、当該プロジェクターの傾きの指定値を入力する傾き入力手段を備え、前記傾き表示手段は、前記傾き検出手段の検出結果と前記指定値の差分を表示する。
そのため、プロジェクターの設置角度を水平以外の角度に正確に調整することができる。
【００１６】
本発明に係るプロジェクターの制御方法は、入力映像信号に基づき映像を投射する投射部と、縦方向の傾きまたは横方向の傾きの少なくともいずれかを検出する傾き検出手段と、当該プロジェクターに対する方向操作入力を受け付ける方向操作入力手段と、を備え、前記方向操作入力手段は、前記傾き検出手段が検出した傾きを表す情報を表示する傾き表示手段を備えたプロジェクターを制御する方法であって、前記傾き検出手段が検出した傾きを表す情報を前記方向操作入力手段の操作方向と対応付けて前記傾き表示手段に表示させ、前記方向操作入力手段が方向操作入力を受け付けると、その方向に対応した所定量の台形歪み補正を実行する。
そのため、ユーザーはプロジェクターの設置角度を方向操作入力手段の操作方向と対応付けて直感的かつ容易に把握することができる。
また、方向操作入力手段でプロジェクターの傾きを通知するとともに傾き補正を行うことになるので、１箇所で傾きの通知と補正を同時に行うことができ、補正作業が容易になって、ユーザーにとって便宜である。
【発明を実施するための最良の形態】
【００１７】
実施の形態１．
図１は、本発明の実施の形態１に係るプロジェクター１００の構成図である。
プロジェクター１００は、投射部１１０、傾き検出部１２０、操作入力部１３０、制御部１４０、台形歪み補正部１４１を備える。
【００１８】
投射部１１０は、光源、投射光学系、映像信号処理部などの映像投射に必要な構成を適宜備え、入力映像信号を受け取り、その信号に対応した映像をスクリーン等に投射する。
傾き検出部１２０は、プロジェクター１００の縦方向または横方向の傾きを検出し、検出結果を制御部１４０に出力する。縦方向の傾き、および横方向の傾きについては、後述の図２〜図３で改めて説明する。
【００１９】
操作入力部１３０は、ユーザーがプロジェクター１００に対する操作指示を入力するための操作パネル等で構成されている。操作入力内容は、操作信号として制御部１４０に出力される。
制御部１４０は、操作入力部１３０から受け取った操作信号に基づき、投射部１１０の動作を制御する。また、傾き検出部１２０の検出結果を受け取り、その検出結果を、後述の図４で説明する手法でユーザーに通知する。
【００２０】
台形歪み補正部１４１は、プロジェクター１００を斜めに設置して映像を投射したような場合に生じる台形歪みを補正するため、入力映像信号または出力映像信号を補正する。
台形歪み補正部１４１は、独立した機能部として構成することもできるし、図１に示すように制御部１４０の一機能として構成することもできる。また、台形補正を実施する信号処理などの手法は、任意の公知技術を用いることができる。
【００２１】
制御部１４０と台形歪み補正部１４１は、その機能を実現する回路デバイスのようなハードウェアで構成することもできるし、マイコンやＣＰＵ（Ｃｅｎｔｒａｌ  Ｐｒｏｃｅｓｓｉｎｇ  Ｕｎｉｔ）のような演算装置とその動作を規定するソフトウェアで構成することもできる。
【００２２】
図２は、プロジェクター１００の縦方向の傾きについて説明する図である。同図では、プロジェクター１００がスクリーン２００に対して映像を投射している様子を、設置状況の側面図で表した。
【００２３】
図２（ａ）は、スクリーン２００が水平面に対して垂直に設置されている場合の側面図である。図２（ａ）の場合、プロジェクター１００の縦方向の傾きとは、水平面に対する鉛直方向の傾きを指す。
同図の設置状況の下では、スクリーン２００が水平面に対して垂直に設置されているので、水平面に対する鉛直方向の傾きは、スクリーン２００の投射面に対する鉛直方向の傾きと一致する。
【００２４】
図２（ａ）の場合、プロジェクター１００の縦方向の傾きを検出するためには、例えば加速度センサーなどの重力方向に対する角度を検出する手段を用いて、傾き検出部１２０を構成するとよい。
その他、スクリーン２００にテスト画像を投射し、別途備える撮像デバイスなどでそのテスト画像を撮像して、同テスト画像の歪み具合から、スクリーン２００に対するプロジェクター１００の縦方向傾きを算出する、という手法も考えられる。
【００２５】
図２（ｂ）は、スクリーン２００が水平面に対して傾いて設置されている場合の側面図である。図２（ｂ）の場合、プロジェクター１００の縦方向の傾きとは、水平面に対する鉛直方向の傾き、またはスクリーン２００の投射面に対する鉛直方向の傾きを指す。
いずれを用いるかは、プロジェクター１００の用途などに応じて適宜定めればよい。
【００２６】
図２（ｂ）の場合、プロジェクター１００の縦方向の傾きを検出するためには、図２（ａ）で説明した手法と同様に、加速度センサーを用いるか、またはスクリーン２００にテスト画像を投射して、同テスト画像の歪み具合から、スクリーン２００に対するプロジェクター１００の縦方向傾きを算出する、といった手法が考えられる。
【００２７】
傾き検出部１２０は、プロジェクター１００の用途などの必要に応じて、上記図２（ａ）（ｂ）で説明したような実装手法を用いて構成することができる。
傾き検出部１２０のその他の実装手法としては、例えばプロジェクター１００が備える脚部の引き出し長さを検出し、その長さから逆算してプロジェクター１００の縦方向傾きを求める、といった手法が考えられる。
いずれの手法で傾き検出部１２０を実装する場合においても、傾き角度そのものの算出は、傾き検出部１２０自身が行ってもよいし、算出処理のみ制御部１４０などの演算装置に委譲してもよい。
【００２８】
図３は、プロジェクター１００の横方向の傾きについて説明する図である。同図では、プロジェクター１００がスクリーン２００に対して映像を投射している様子を、設置状況の平面図で表した。
プロジェクター１００の横方向の傾きとは、スクリーン２００の投射面に対する水平方向の傾きを指す。
【００２９】
プロジェクター１００の横方向の傾きを検出するためには、図２（ａ）で説明した手法と同様に、スクリーン２００にテスト画像を投射して、同テスト画像の歪み具合から、スクリーン２００に対するプロジェクター１００の横方向傾きを算出する、といった手法が考えられる。
傾き検出部１２０のその他の実装手法としては、例えば地磁気を測定してプロジェクター１００の横方向傾きを求める、といった手法が考えられる。ただし、スクリーン２００の設置傾きも別途測定する必要がある。
【００３０】
いずれの手法で傾き検出部１２０を実装する場合においても、傾き角度そのものの算出は、傾き検出部１２０自身が行ってもよいし、算出処理のみ制御部１４０などの演算装置に委譲してもよい。
【００３１】
なお、上下方向や左右方向のいずれの向きを正負とするかは、適宜定めればよい。例えば上向きの傾きを縦方向の正の向きとし、右方向の傾きを横方向の正の向きとする、などとすればよい。
【００３２】
以上、プロジェクター１００の全体構成と、各方向の傾きについて説明した。
次に、操作入力部１３０の詳細構成について説明する。
【００３３】
図４は、操作入力部１３０の構成例を示す図である。ここでは、複数の操作キーを備える操作パネルで操作入力部１３０を構成した例を示した。
操作入力部１３０は、各機能キーの他、上キー１３１、左キー１３２、右キー１３３、下キー１３４、センターキー１３５を備える。
【００３４】
各キーは、押下ボタンで構成されている。各キーが押下されると、その内容に対応した操作信号が制御部に出力される。制御部は、その操作信号の内容に対応した制御動作を実行する。
上キー１３１、左キー１３２、右キー１３３、下キー１３４は、例えばカーソルの上下左右の移動など、ユーザーがプロジェクター１００に対する方向操作入力を行うためのものである。センターキー１３５は、例えば確定入力を行うときに用いることができる。
【００３５】
また、上キー１３１、左キー１３２、右キー１３３、下キー１３４は、各操作方向に対応したＬＥＤ表示部１３６、１３７、１３８、１３９をそれぞれ備える。
ＬＥＤ表示部１３６、１３７、１３８、１３９は、例えば三角形や矢印のような各操作方向を指し示す形状で構成してもよいし、単に点灯する機能を有するのみでもよい。
【００３６】
本発明における「傾き表示手段」は、制御部と各ＬＥＤ表示部がこれに相当する。
また、「単一方向表示手段」は、ＬＥＤ表示部がこれに相当する。
【００３７】
以上、本実施の形態１に係るプロジェクター１００の構成を説明した。
次に、操作入力部１３０を用いてプロジェクター１００の傾き方向と角度を通知する手法を説明する。
【００３８】
（傾き方向の通知手法）
制御部１４０は、所定時間間隔で傾き検出部１２０の検出結果を取得し、その傾き方向に対応したＬＥＤ表示部を点灯させる。
例えば、プロジェクター１００の前方が上向き、後方が下向き（後傾方向）に傾いている場合は、ＬＥＤ表示部１３６を点灯させ、前傾方向に傾きを補正すべき旨を示唆する。
ユーザーがプロジェクター１００の傾き角度を調整することにより、前傾姿勢が補正されて水平状態になると、傾き検出部１２０がその旨の検出結果を制御部に出力する。制御部１４０はその検出結果を受けてＬＥＤ表示部１３６を消灯させる。
【００３９】
（傾き角度の通知手法）
制御部１４０は、傾き検出部１２０の検出結果を受け取ると、その検出角度をＬＥＤ表示部の点灯パターンで表す。例えば、プロジェクター１００の傾き角度が５°以内であればＬＥＤ表示部を点滅表示させ、傾き角度が５°を超えているときは点灯させたままにする。
【００４０】
以上、プロジェクター１００の傾き方向と角度を通知する手法を説明した。
次に、傾き状態を表示している上下左右キーをユーザーが押下して台形歪み補正を行い、投射映像上で傾き補正を行う動作を説明する。
【００４１】
図５は、プロジェクター１００の傾きのため投射映像が歪んでいる例を示す図である。
図５において、プロジェクター１００は後傾方向に傾いて設置されている。そのため、スクリーン２００に投射された映像は、台形状に歪んでいる。
傾き検出部１２０はプロジェクター１００の傾きを検出し、制御部１４０に出力する。制御部１４０は、傾き検出結果に基づき、プロジェクター１００が後傾状態であると判断し、上キー１３１が備えるＬＥＤ表示部１３６を点灯させる。
【００４２】
ユーザーは、ＬＥＤ表示部１３６が点灯している状態を見て、プロジェクター１００が後傾方向に傾いていることを知る。
このときユーザーは、前側の脚部の長さを短くするなどしてプロジェクター１００の傾きを調整することもできるし、以下に説明するように、プロジェクター１００の傾きを直接調整することに代えて、操作入力部１３０を操作して台形補正を実行することもできる。
台形補正を行う手順について、以下のステップ（１）〜（８）で説明する。
【００４３】
（１）図５の例では、上キー１３１が備えるＬＥＤ表示部１３６が点灯しているため、ユーザーは上キー１３１を押下するよう視覚的に促されている。
（２）ユーザーが上キー１３１を押下すると、その旨の操作信号が制御部１４０に出力される。
【００４４】
（３）制御部１４０は、投射映像が、プロジェクター１００を前傾方向へ傾き補正したものと同等となる台形補正処理を行うよう、台形歪み補正部１４１に指示する。このときの補正量は、プロジェクター１００を前傾方向にわずかに（例えば１°。以下の説明では１°とする。）傾け直したものと等価な補正量にしておく。
（４）台形歪み補正部１４１は、制御部１４０の指示に基づき、前傾方向に所定量の台形補正処理を実行する。これにより、投射映像は、プロジェクター１００を前傾方向に傾き補正したものと同等の状態となる。
【００４５】
（５）制御部１４０は、台形歪み補正部１４１が台形補正を行った補正量と等価な傾き角度を傾き検出部１２０の検出結果に加味する。ここでは、傾き検出部１２０の検出値を、前傾方向に１°補正する。
（６）制御部１４０は、補正後の傾き角度を基準として、ＬＥＤ表示部を点灯させる。ここでは、プロジェクター１００の実際の傾き角度を前傾方向に１°補正した角度の下で、ＬＥＤ表示部を点灯または消灯させる。
【００４６】
（７）以上の処理を行った上で、なおＬＥＤ表示部１３６が点灯しているか、もしくはスクリーン２００上の投射映像が台形状に歪んでいるときは、ユーザーは同様の操作を繰り返す。以後の処理も同様である。
（８）以上のステップは、横方向の傾きについても同様であるため、説明を省略する。
【００４７】
以上、ユーザーが上下左右キーを押下して台形歪み補正を行う動作を説明した。
【００４８】
本実施の形態１では、ＬＥＤ表示部を用いて傾き方向と角度の双方を通知することを説明したが、例えば傾き方向のみをＬＥＤ表示部の点灯で通知するように構成してもよい。
【００４９】
また、本実施の形態１では、ＬＥＤ表示部を用いて傾き方向を表示したが、その他の単一方向を表示する手段を用いて、傾き方向を表示することもできる。例えば、電光式の方向表示器などを用いることも可能である。
【００５０】
また、本実施の形態１では、縦方向と横方向の双方の傾きを検出してＬＥＤ表示部で表示する例を説明したが、縦方向または横方向のいずれか片方のみ検出ないし表示するように構成してもよい。
この場合は、検出ないし表示する方向のみＬＥＤ表示部を設け、その他の方向についてはＬＥＤ表示部を省略してもよい。
【００５１】
以上のように、本実施の形態１に係るプロジェクター１００は、傾き検出部１２０が検出した傾き角度を通知する手段を備えているので、ユーザーはプロジェクター１００の傾き角度を正確に調整することができる。
【００５２】
また、本実施の形態１に係るプロジェクター１００では、操作入力部１３０が備える方向操作キーにＬＥＤ表示部を配置しており、制御部１４０は、傾き検出部１２０の検出結果に対応した方向のＬＥＤ表示部を点灯させる。
そのため、ユーザーはプロジェクター１００の傾きを方向キーの操作方向と対応付けて直感的かつ容易に把握することができる。
【００５３】
また、本実施の形態１によれば、ＬＥＤ表示部の点灯パターンにより、ユーザーはプロジェクター１００の傾き角度を容易に把握することができる。また、ＬＥＤ表示部の点灯方向と併せて、傾き方向と角度の双方を即座に把握することができる。
【００５４】
また、本実施の形態１によれば、ＬＥＤ表示部を用いてプロジェクター１００の傾き角度を通知するので、傾き角度を通知するために投射部１１０を起動する必要がない。
特に、投射部１１０に放電ランプのような比較的長い起動時間を要する構成部材を用いる場合は、投射映像上で傾き角度を表示するまでに多くの時間を要してしまう。この点、ＬＥＤ表示部は短時間で点灯させることができるので、有利である。
具体的な実装手法としては、例えば、プロジェクター１００の電源をＯＮしたとき、制御部１４０は投射部１１０を起動する前に傾き検出部１２０の検出結果を取得してＬＥＤ表示部で通知するように構成するとよい。
上記構成により、ユーザーは、スクリーンに映像を投射する前にプロジェクター１００の傾きをあらかじめ調整しておくことができる。
【００５５】
また、本実施の形態１によれば、消費電力の比較的少ないＬＥＤ表示部を用いてプロジェクター１００の傾き角度を通知するので、省エネの観点からも有利である。
【００５６】
また、本実施の形態１によれば、従来のプロジェクターが備えている上下左右キーにＬＥＤ表示部と周辺回路等の部品を追加するのみで、傾き表示手段を構成することができる。
そのため、傾き表示手段専用に特別な部品を用いる必要がなく、部品点数が少なくて済み、コスト面で有利である。
【００５７】
また、本実施の形態１によれば、各方向操作キーが備えるＬＥＤ表示部でプロジェクター１００の傾きを表示するのみならず、ＬＥＤ表示部が点灯している方向操作キーを押下して台形補正を実行することで、プロジェクター１００の傾きを補正したものと等価な効果を得ることができる。
そのため、ユーザーはプロジェクター１００の傾きを把握して即座に補正することができるので、傾きを補正するための操作時間を短縮するなど、使い勝手のよいプロジェクター１００を提供することができる。
【００５８】
また、本実施の形態１によれば、方向キーでプロジェクターの傾きを通知するとともに傾き補正を行うことになるので、１箇所で傾きの通知と補正を同時に行うことができ、ユーザーにとって便宜である。
【００５９】
実施の形態２．
本発明の実施の形態２では、実施の形態１で説明した構成の下、ＬＥＤ表示部の点灯パターンを定義する具体的な手法と構成例を説明する。なお、本実施の形態２に係るプロジェクター１００は、例えばＨＤＤ（Ｈａｒｄ  Ｄｉｓｋ  Ｄｒｉｖｅ）などで構成される記憶部を備えるものとする。
また、ＬＥＤ表示部は、傾きを補正すべき方向と角度を通知するように構成されているものとする。
【００６０】
図６は、記憶部が格納している左右キー点灯パターンテーブルの構成とデータ例を示す図である。
左右キー点灯パターンテーブルは、プロジェクター１００の横方向の傾きと左右キーのＬＥＤ表示部の点灯パターンとの対応関係を表すデータを保持するテーブルであり、「左右方向傾き」列、「左右キーＬＥＤ点灯状態」列を有する。
【００６１】
「左右方向傾き」列には、プロジェクター１００の左右方向の傾き角度を表す数値が格納されている。
「左右キーＬＥＤ点灯状態」列には、プロジェクター１００の傾きが「左右方向傾き」列の値で示される数値であるときの、ＬＥＤ表示部１３７と１３８の点灯パターンを表すデータが格納されている。
【００６２】
図６のデータ例では、例えば１行目のデータによれば、プロジェクター１００がスクリーン２００に向かって右傾方向に５°超傾いているときは、左キー１３２が備えるＬＥＤ表示部１３７を常時点灯状態にすべきことが分かる。
同様に、４行目のデータによれば、プロジェクター１００がスクリーン２００に向かって左傾方向に２°以上５°未満傾いているときは、右キー１３３が備えるＬＥＤ表示部１３８を点滅表示状態にすべきことが分かる。
【００６３】
ユーザーは、図６で示すようなＬＥＤ表示部の点灯パターンを見ると、プロジェクター１００の左右の傾き方向と角度を即座に把握することができる。また、傾きを補正すべき方向と角度をＬＥＤ表示により示唆されているので、次に行うべきアクションを容易に把握することができる。
例えば、右キー１３３が備えるＬＥＤ表示部１３８が点滅している状態は、プロジェクター１００を右方向にわずかに傾き補正するべきであることを示唆していることになる。即ち、ユーザーは、プロジェクター１００がわずかに左傾していることを即座に把握することができる。
【００６４】
図７は、記憶部が格納している上下キー点灯パターンテーブルの構成とデータ例を示す図である。
上下キー点灯パターンテーブルは、プロジェクター１００の縦方向の傾きと上下キーのＬＥＤ表示部の点灯パターンとの対応関係を表すデータを保持するテーブルであり、「前後方向傾き」列、「上下キーＬＥＤ点灯状態」列を有する。
【００６５】
「前後方向傾き」列には、プロジェクター１００の上下方向の傾き角度を表す数値が格納されている。
「上下キーＬＥＤ点灯状態」列には、プロジェクター１００の傾きが「上下方向傾き」列の値で示される数値であるときの、ＬＥＤ表示部１３６と１３９の点灯パターンを表すデータが格納されている。
【００６６】
図７のデータ例では、例えば１行目のデータによれば、プロジェクター１００が前を下向きにする方向（前傾方向）に５°超傾いているときは、下キー１３４が備えるＬＥＤ表示部１３９を常時点灯状態にすべきことが分かる。
同様に、４行目のデータによれば、プロジェクター１００が後を下向きにする方向（後傾方向）に２°以上５°未満傾いているときは、上キー１３１が備えるＬＥＤ表示部１３６を点滅表示状態にすべきことが分かる。
【００６７】
ユーザーは、図７で示すようなＬＥＤ表示部の点灯パターンを見ると、プロジェクター１００の前後の傾き方向と角度を即座に把握することができる。また、傾きを補正すべき方向と角度をＬＥＤ表示により示唆されているので、次に行うべきアクションを容易に把握することができる。
例えば、上キー１３１が備えるＬＥＤ表示部１３６が点滅している状態は、プロジェクター１００を前傾方向にわずかに傾き補正するべきであることを示唆していることになる。即ち、ユーザーは、プロジェクター１００がわずかに後傾していることを即座に把握することができる。
【００６８】
以上、ＬＥＤ表示部の点灯パターンを定義する具体的な手法と構成例を説明した。
なお、図６と図７で説明した各テーブルは、併用することができる。例えば、プロジェクター１００が前傾方向と左傾方向に同時に傾いているときは、これらのテーブルを併用して、ＬＥＤ表示部１３８と１３９を同時に点灯させ、後ろ向きと右向きに傾きを補正すべき旨をユーザーへ提示することができる。
【００６９】
なお、図６と図７ではテーブル形式で各データを格納した例を示したが、格納形式はこれに限られるものではなく、任意の形式を用いることができる。
【００７０】
以上のように、本実施の形態２に係るプロジェクター１００は、ＬＥＤ表示部を用いてプロジェクター１００の傾きを表示する際に、傾きを補正すべき方向とその程度を示唆するような点灯パターンを用いる。
そのため、ユーザーは単にプロジェクター１００の傾きを把握するのみならず、どのように傾きを補正すればよいかを即座に把握でき、ユーザーにとって便宜である。
【００７１】
また、本実施の形態２によれば、ＬＥＤの点灯パターンでプロジェクター１００の傾き角度を表すことができるので、傾き角度の数値を表示等するための手段を別途設ける必要がなく、部品点数削減などの観点から有利である。
また、ＬＥＤ表示部自体の情報表現能力はさほど高くないが、本実施の形態２では点灯パターンを工夫することによりこれを克服しているので、ＬＥＤ表示部のみで傾き角度という数値情報を通知することができる。
【００７２】
実施の形態３．
本発明の実施の形態３では、実施の形態２で説明したＬＥＤ表示部の点灯パターンをより簡易に構成した例を説明する。なお、本実施の形態３に係るプロジェクター１００では、センターキー１３５もＬＥＤ表示部を備えているものとする。その他の構成は、実施の形態１または２と同様である。
【００７３】
図８は、記憶部が格納している上下左右キー点灯パターンテーブルの構成とデータ例を示す図である。
実施の形態２では、左右方向と前後方向の傾きに対応したＬＥＤ表示部の点灯パターンを個別に定義した例を説明したが、本実施の形態３では、この点灯パターンを図６のようにより簡易に構成した。
【００７４】
本実施の形態３では、プロジェクター１００の前後左右いずれかの方向の傾きが２°以内であるときは、制御部１４０はセンターキー１３５が備えるＬＥＤ表示部を点灯させる。
その他の傾き状態であるときは、制御部１４０はセンターキー１３５が備えるＬＥＤ表示部を消灯させる。
【００７５】
この点灯パターンでは、プロジェクター１００がいずれの方向に傾いているかを詳細に把握することはできないが、単に傾いているのかそうでないのかを把握すれば足りるような場合には、上述のような点灯パターンで十分である。
また、ＬＥＤ表示部の個数が１つのみでよいので、部品点数を削減してコストを抑えることもできる。
【００７６】
なお、本実施の形態３の構成は、単独で用いることもできるし、実施の形態１〜２で説明した構成と併用することもできることを付言しておく。
【００７７】
実施の形態４．
通常、プロジェクター１００の設置角度は、スクリーン上の投射映像が歪んでさえいなければ、あまり意識されることはない。しかし、プロジェクター１００の利用シーンによっては、設置角度が正確であることが求められる場合がある。例えば、以下のような場合が考えられる。
【００７８】
（１）壁面の角度やスクリーンのサイズ、位置などを厳密に計算した上で設計された環境下でプロジェクター１００を利用する場合。
（２）複数のプロジェクター１００を並列に用いてマルチスクリーン構成で利用する場合。
【００７９】
（１）の場合は、プロジェクター１００の設置位置や角度があらかじめ想定済みであり、その位置や角度に正確に合わせてプロジェクター１００を設置することが求められる。
（２）の場合は、各プロジェクターの設置角度が異なっていると、各投射映像がまちまちに台形状に歪み、投射映像同士が接する面が斜めに重なり合って画像の不整合が生じる。歪み量が僅かで単一スクリーン構成では気付きにくい場合でも、マルチスクリーン構成では、映像同士の接続面でその歪みが目立つ場合がある。
【００８０】
そこで、本発明の実施の形態４では、プロジェクター１００の設置角度を指定入力し、傾き検出部１２０の検出結果を用いて、プロジェクター１００を正確にその角度で設置するための構成と動作例を説明する。
【００８１】
本実施の形態４に係るプロジェクター１００は、プロジェクター１００の設置角度を指定する手段を備える。例えば操作入力部１３０に数値入力を行うためのキー等を設けてもよいし、スクリーン上に数値入力キーを投射して操作入力部１３０上の方向操作キーで選択させるようにしてもよい。
その他の構成は実施の形態２〜３と同様であるものとする。
【００８２】
図９は、記憶部が格納している左右キー点灯パターンテーブルの構成とデータ例を示す図である。本実施の形態４において、左右キー点灯パターンテーブルは、実施の形態２で説明した図６と同様の構成を備える。
ただし、「左右方向傾き」列が格納する値には、上述のプロジェクター１００の設置角度の指定値が含まれる。
【００８３】
図９のデータ例は、ユーザーが上述の設置角度入力手段を用いて、「プロジェクター１００を左傾方向に１０°傾けて設置する」旨を指定入力した例を示す。
この指定角度は制御部１４０に通知され、制御部１４０は「左右方向傾き」列の数値にその指定角度の値を入れ込む。
これにより、左右のＬＥＤ表示部が消灯するのは、プロジェクター１００の設置角度が左に１０°傾いている状態となるので、ユーザーはプロジェクター１００の設置角度を指定角度通りに調整することができる。
【００８４】
図１０は、記憶部が格納している上下キー点灯パターンテーブルの構成とデータ例を示す図である。本実施の形態４において、上下キー点灯パターンテーブルは、実施の形態２で説明した図７と同様の構成を備える。
【００８５】
図１０のデータ例は、ユーザーが上述の設置角度入力手段を用いて、「プロジェクター１００を後傾方向に１０°傾けて設置する」旨を指定入力した例を示す。
前後方向の傾きについても同様に、ユーザーが指定入力した設置角度が制御部１４０を介して「前後方向傾き」列の数値に格納される。
これにより、上下のＬＥＤ表示部が消灯するのは、プロジェクター１００の設置角度が後ろに１０°傾いている状態となるので、ユーザーはプロジェクター１００の設置角度を指定角度通りに調整することができる。
【００８６】
本実施の形態４では、図６〜図７を引用する関係上、実施の形態２で説明した構成を前提に説明したが、実施の形態１や実施の形態３で説明した構成において、同様にプロジェクター１００の設置角度を指定入力する手段を設け、傾き検出部１２０の検出結果をその指定値で補正するようにしてもよい。この構成の場合も、本実施の形態４と同様の効果を発揮することができる。
【００８７】
本実施の形態４における台形補正の扱いについて補足しておく。
台形歪み量は必ずしもプロジェクター１００の設置角度のみによって一義的に適切な値が定まるわけではなく、例えばスクリーン２００の設置位置や角度などによっても適正な補正量が異なる。
そのため、本実施の形態４において台形補正を用いる場合は、例えばプロジェクター１００の設置角度をこれ以上調整することができない場合等に、補助的に用いるなどすると効果的である。
【００８８】
以上のように、本実施の形態４に係るプロジェクター１００は、設置角度を指定入力する手段を備え、制御部１４０はその指定角度を用いて傾き検出部１２０の検出結果を補正し、補正後の結果を通知する。
そのため、ユーザーはプロジェクター１００の設置角度を指定角度に正確に合わせることができる。
【００８９】
実施の形態５．
図１１は、本発明に係るプロジェクターを２台用いてマルチスクリーンを構成した例を示す図である。
各プロジェクターは、実施の形態１〜４で説明した構成を備える。以下では、説明の便宜上、実施の形態１〜２で説明したＬＥＤ表示部を備える構成を前提とするが、これに限られるものではない。また、プロジェクターの台数は任意でよい。
【００９０】
図１１において、一方のプロジェクターのみ設置角度が水平面に対して傾いており、投射映像が台形状に歪んでいる。また、上キー１３１が備えるＬＥＤ表示部１３６が点灯し、その旨を表示している。
ユーザーは、この表示に基づき当該プロジェクターの設置角度を調整するか、もしくは上キー１３１を押下して台形補正を実行する。ＬＥＤ表示部１３６が消灯した時点で、台形歪みは解消されるものと想定される。
【００９１】
なお、プロジェクターの設置環境の制約から、プロジェクターを水平に設置することができないような場合には、実施の形態４で説明したように設置角度を指定する構成を用いるとよい。
この場合、双方のプロジェクターに入力する指定角度を揃えておけば、各プロジェクターの設置角度を等しくすることができるので、双方の投射映像の形状やサイズを等しく保つことができる。仮に投射映像に台形歪みが生じている場合でも、各プロジェクターの設置角度は等しいので、各プロジェクターの台形歪み補正部１４１が実施すべき台形補正量は等しくなり、容易に補正を行うことができる。
【００９２】
以上のように、本実施の形態５によれば、実施の形態１〜４で説明したプロジェクター１００を複数台用いて、各投射映像の形状やサイズを正確に一致させたマルチスクリーンシステムを構成することができる。
【図面の簡単な説明】
【００９３】
【図１】実施の形態１に係るプロジェクター１００の構成図である。
【図２】プロジェクター１００の縦方向の傾きについて説明する図である。
【図３】プロジェクター１００の横方向の傾きについて説明する図である。
【図４】操作入力部１３０の構成例を示す図である。
【図５】プロジェクター１００の傾きのため投射映像が歪んでいる例を示す図である。
【図６】左右キー点灯パターンテーブルの構成とデータ例を示す図である。
【図７】上下キー点灯パターンテーブルの構成とデータ例を示す図である。
【図８】上下左右キー点灯パターンテーブルの構成とデータ例を示す図である。
【図９】左右キー点灯パターンテーブルの構成とデータ例を示す図である。
【図１０】上下キー点灯パターンテーブルの構成とデータ例を示す図である。
【図１１】プロジェクター２台でマルチスクリーンを構成した例を示す図である。
【符号の説明】
【００９４】
１００  プロジェクター、１１０  投射部、１２０  傾き検出部、１３０  操作入力部、１３１  上キー、１３２  左キー、１３３  右キー、１３４  下キー、１３５  センターキー、１３６〜１３９  ＬＥＤ表示部、１４０  制御部、１４１  台形歪み補正部。
【図１】
2010141772.tif 000003
【図２】
2010141772.tif 000004
【図３】
2010141772.tif 000005
【図４】
2010141772.tif 000006
【図５】
2010141772.tif 000007
【図６】
2010141772.tif 000008
【図７】
2010141772.tif 000009
【図８】
2010141772.tif 000010
【図９】
2010141772.tif 000011
【図１０】
2010141772.tif 000012
【図１１】
2010141772.tif 000013